(57)【特許請求の範囲】
【請求項１】
面ファスナーを構成するフック材とループ材のうちの少なくとも一方である第２部材を含む装飾品を着脱自在に構成された装飾品取付具であって、
着用品又はポータブル品に着脱自在に構成された着脱構造と、
前記第２部材に着脱可能な第１部材と、を含み、
前記着脱構造は、紐を挿通可能な少なくとも一対の穴部を有し、
前記装飾品取付具は、前記一対の穴部を結ぶラインに交差する第１方向における少なくとも一方に延びており、
前記第１部材は、少なくとも、前記第１方向において前記穴部から離れた領域に設けられている、装飾品取付具。
【請求項２】
前記装飾品取付具は、折り返し線に沿って折り返し可能に構成されている、請求項１に記載の装飾品取付具。
【請求項３】
面ファスナーを構成するフック材とループ材のうちの少なくとも一方である第２部材を含む装飾品を着脱自在に構成された装飾品取付具であって、
着用品又はポータブル品に着脱自在に構成された着脱構造と、
前記第２部材に着脱可能な第１部材と、を含み、
前記着脱構造は、紐を挿通可能な少なくとも２つの穴部を有し、
前記装飾品取付具は、折り返し線に沿って折り返し可能に構成されており、
前記第１部材は、少なくとも、前記折り返し線を基準にして一方の側に設けられており、
前記少なくとも２つの穴部は、少なくとも、前記折り返し線を基準にして他方の側に設けられている、装飾品取付具。
【請求項４】
前記穴部は、前記折り返し線に関して対称な位置に設けられている、請求項２又は３に記載の装飾品取付具。
【請求項５】
前記折り返し線によって折り返された前記装飾品取付具の表側に位置する第１領域と、裏側に位置する第２領域とを互いに係合させる係合部材を有する、請求項２から４のいずれか１項に記載の装飾品取付具。
【請求項６】
前記係合部材は、前記第１部材に係合可能なフック材又はループ材のうちの一方を含む、請求項５に記載の装飾品取付具。
【請求項７】
前記折り返し線と前記係合部材との間に第２折り返し線を有する、請求項５又は６に記載の装飾品取付具。
【請求項８】
前記第１部材が形成されている領域は、少なくとも２層のシートを含み、
前記少なくとも２層のシートのうちの１層は、弾性又はクッション性を有するシートである、請求項１から７のいずれか１項に記載の装飾品取付具。
【発明の詳細な説明】
【技術分野】
【０００１】
本発明は、鞄や靴などの日用品に取り付けられる装飾品取付具に関する。
【背景技術】
【０００２】
鞄や靴などの日用品に取り付け可能な様々な装飾品が知られている。特許文献１は、面ファスナーを備えた鞄や靴と、当該面ファスナーに係合する面ファスナーを備えた装飾品と、を開示している。面ファスナーは、互いに向き合う２面にそれぞれ多数の係合部（雄部）と被係合部（雌部）によって、係合部と被係合部が着脱自在に構成されている。これにより、装飾品が着脱自在に付着できる鞄や靴を提供できるとされている。
【０００３】
特許文献２及び特許文献３は、面ファスナーを備えた鞄と、当該面ファスナーに係合する面ファスナーを備えた装飾品と、を開示している。特許文献４は、履物の表面と装飾品の表面にベルベットファスナーを固着させることによって、履物に対して装飾品を着脱自在にした構成を開示する。特許文献５は、スナップボタンやファスナを靴に取り付けることによって、バックルやベルト状の装飾品を交換自在にしたことを開示する。特許文献６は、靴の外皮部分を面ファスナーのような係着性を有するシート材で形成することによって装飾品を着脱自在にすることを開示する。
【先行技術文献】
【特許文献】
【０００４】
【特許文献１】実用新案登録第３２１６１７５号公報
【特許文献２】特開２００８−６７９７２号公報
【特許文献３】特開２００８−２３７９１８号公報
【特許文献４】実開昭５９−１４１８０５号
【特許文献５】実用新案登録第３０９３０２２号公報
【特許文献６】特開２００１−３５３００８号公報
【発明の概要】
【発明が解決しようとする課題】
【０００５】
特許文献１〜６では、鞄や靴のような物品に面ファスナーが一体的に取り付けられていたり、物品の一部又は全部が面ファスナーで形成されていたりする。この場合、物品の一部又は全部を構成する生地が面ファスナーに制限されてしまい、装飾品を付けない状態における物品の見た目の意匠性も制限されてしまう。また、面ファスナーを備えた専用の鞄や靴のような物品でなければ、面ファスナーを有する装飾品を取り付けることができないというデメリットも生じる。
【０００６】
したがって、例えば靴のような既存の着用品又はポータブル品に対してより柔軟に装飾品を取り付け可能な構造が望まれる。
【課題を解決するための手段】
【０００７】
一態様に係る装飾品取付具は、面ファスナーを構成する部材を含む装飾品を着脱自在に構成された装飾品取付具である。装飾品取付具は、着用品又はポータブル品に着脱自在に構成された着脱構造と、面ファスナーを構成するフック材とループ材のうちの少なくとも一方である第１部材と、を含む。
【発明の効果】
【０００８】
上記態様によれば、例えば靴のような既存の着用品又はポータブル品に対して、装飾品取付具を介して装飾品を取り付けることができる。
【図面の簡単な説明】
【０００９】
【図１】第１実施形態に係る装飾品取付具の表面図である。
【図２】第１実施形態に係る装飾品取付具の裏面図である。
【図３】図１のＸ方向から見た装飾品取付具の模式的側面図である。
【図４】図１の４Ａ−４Ａ線に沿った模式的断面図である。
【図５】折り返された状態における装飾品取付具の模式的側面図である。
【図６】第１実施形態に係る装飾品の模式的表面図である。
【図７】第１実施形態に係る装飾品の模式的裏面図である。
【図８】第１実施形態に係る装飾品取付具を取り付けた靴の上面図である。
【図９】第１実施形態に係る装飾品取付具及び装飾品を取り付けた靴の上面図である。
【図１０】第１実施形態に係る装飾品取付具の別の取り付け方法を示す図である。
【図１１】第２実施形態に係る装飾品取付具の表面図である。
【図１２】第３実施形態に係る装飾品取付具の表面図である。
【図１３】第３実施形態に係る装飾品取付具の裏面図である。
【図１４】第４実施形態に係る装飾品取付具の表面図である。
【図１５】第４実施形態に係る装飾品取付具を取り付けた靴の側面図である。
【図１６】第４実施形態に係る装飾品取付具の取り付けの一例を説明するための図である。
【発明を実施するための形態】
【００１０】
以下、図面を参照して、実施形態について説明する。以下の図面において、同一又は類似の部分には、同一又は類似の符号を付している。ただし、図面は模式的なものであり、各寸法の比率等は現実のものとは異なることがあることに留意すべきである。
【００１１】
（第１実施形態）
図１は、第１実施形態に係る装飾品取付具の表面図である。図２は、第１実施形態に係る装飾品取付具の裏面図である。図３は、図１のＸ方向から見た装飾品取付具の模式的側面図である。図４は、図１の４Ａ−４Ａ線に沿った模式的断面図である。図５は、折り返された状態における装飾品取付具の模式的側面図である。図６は、第１実施形態に係る装飾品の模式的表面図である。図７は、第１実施形態に係る装飾品の模式的裏面図である。図８は、第１実施形態に係る装飾品取付具を取り付けた靴の上面図である。図９は、第１実施形態に係る装飾品取付具及び装飾品を取り付けた靴の上面図である。
【００１２】
第１実施形態に係る装飾品セットは、装飾品取付具１００と、装飾品取付具に着脱可能な装飾品８００と、を有する。装飾品取付具１００は、面ファスナーを構成するフック材とループ材のうちの一方の部材（以下、「第２部材」とも称する。）を含む装飾品８００を着脱自在に構成されていてよい。具体的には、装飾品取付具１００は、表面側に、面ファスナーを構成するフック材とループ材のうちの他方の部材（以下、「第１部材」とも称する。）を含んでいる。これにより、装飾品取付具１００は、面ファスナーによって装飾品８００を着脱可能に構成されている。
【００１３】
また、装飾品取付具１００は、着用品又はポータブル品に着脱自在に構成された着脱構造を含む。ここで、着用品又はポータブル品は、例えば靴や鞄などであってよい。装飾品取付具１００は、好ましくは靴に着脱自在に構成されており、より好ましくは紐を有する靴に着脱自在に構成されており、
【００１４】
装飾品取付具１００に設けられた着脱構造は、紐を挿通可能な少なくとも１つ、好ましくは少なくとも２つの穴部１５０，１５２を有する。これらの穴部１５０，１５２に紐を通し、紐によって装飾品取付具１００を着用品又はポータブル品に着脱することができる。さらに、着用品又はポータブル品に取り付けた装飾品取付具１００に、後述する装飾品８００を着脱することができる。なお、装飾品８００は、使用者の志向に応じて別のものと交換可能であってよい。
【００１５】
このように、鞄や靴のような既存の着用品又はポータブル品に、装飾品取付具１００を介して、装飾品８００を着脱することができる。したがって、鞄や靴のような着用品又はポータブル品自体を、面ファスナーを構成する部材によって形成する必要がない。また、使用者は、装飾品取付具１００及び装飾品８００を取り付けた状態で着用品又はポータブル品を使用することもでき、装飾品取付具１００及び装飾品８００を取り付けない既存の状態のまま着用品又はポータブル品を使用することもできる。
【００１６】
以下、より好ましい形態として、紐を有する靴に対して好適な装飾品取付具１００について説明する。本態様では、前述した穴部１５０，１５２に、靴の紐を通すことによって、装飾品取付具１００が靴に取り付けられる（図８も参照）。
【００１７】
装飾品取付具１００は、少なくとも靴９００の甲部（アッパー）を覆うような大きさであってよい。以下、図１〜図５及び図１１〜図１４において、Ｘ方向を「横方向」と称することがある。また、図のＹ方向を「縦方向」と称することがある。さらに、図のＺ方向を「厚み方向」と称することがある。任意ではあるが、縦方向における装飾品取付具１００の長さは、横方向における装飾品取付具１００の長さよりも長くてよい。
【００１８】
装飾品取付具１００は、少なくとも２層のシート１６０，１６２を含んでいてよい（図３及び図４参照）。これらのシートのうちの少なくとも表面側、好ましくは両面のシート１６０は、フック材及びループ材のうちの少なくとも一方の部材を含んでいてよい。第１実施形態では、装飾品取付具１００の表面側のほぼ全面がループ材によって構成されている。したがって、装飾品取付具１００に、フック材を有する装飾品８００が着脱可能となっている。なお、本実施形態では、装飾品取付具１００の表面側のほぼ全面がループ材によって構成されているが、この代わりに、装飾品取付具１００の表面側の一部がループ材によって構成されていてもよい。
【００１９】
装飾品取付具１００を構成する少なくとも２層のシートのうちの１つの層１６２は、例えばスポンジのような弾性部材又はクッション材であってよい。これにより、弾性又はクッション性を有する装飾品取付具１００が、靴９００の甲部（アッパー）のところを覆うため、使用者の足を保護する効果を向上させることができる（図も参照）。
【００２０】
第１実施形態では、装飾品取付具１００は、折り返し線１８０に沿って折り返し可能に構成されていてよい。折り返し線１８０は、例えば直線状に延びた縫い目によって構成されていてよい。これにより、弾性部材又はクッション材が設けられていたとしても、縫い目によって、装飾品取付具１００に折り癖をしっかりつけることができる。
【００２１】
折り返し線１８０は、横方向に沿って延びていてよい。これにより、装飾品取付具１００は、２つ折り可能になっている。ここで、以下では、図１における折り返し線１８０よりも下側の部分を「第１領域Ｓ１」と称することがある。また、図１における折り返し線１８０よりも上側の部分を「第２領域Ｓ２」と称することがある。
【００２２】
装飾品取付具１００は、折り返された状態で靴９００に着用されてもよい（図８参照）。この場合、装飾品取付具１００の、折り返し線１８０を基準にして一方側の第１領域Ｓ１は、靴９００に取り付けられた状態で、折り返し線１８０を基準にして他方側の第２領域Ｓ２を覆っている。
【００２３】
装飾品取付具１００の面ファスナーを構成するループ材は、少なくとも、折り返し線１８０を基準にして一方の第１領域Ｓ１に設けられてよい。これにより、装飾品取付具１００が取り付けられた状態で、装飾品９００を靴のアッパーのところに着脱することができる。一方、穴部１５２は、少なくとも、折り返し線１８０を基準にして他方の側に設けられていてよい。好ましい形態では、飾品取付具１００の面ファスナーを構成するループ材は、第１領域Ｓ１と第２領域Ｓ２の両方に設けられていてよい。
【００２４】
また、装飾品取付具１００の面ファスナーを構成するループ材は、第１領域Ｓ１及び／又は第２領域Ｓ２の表面側のみに設けられていてもよく、両面に設けられていてもよい。
【００２５】
装飾品取付具１００は、折り返し線１８０が使用者の足の方に向くように配置されていてよい。使用者が歩行動作等を行った場合、使用者の足は、装飾品取付具１００の折り返された部分に接触することがある。装飾品取付具１００の折り返された部分は、湾曲するため、使用者の足に対する刺激が少ないというメリットが生じる。
【００２６】
靴の紐９１０を通すための穴部１５２は、装飾品取付具１００の第２領域Ｓ２に少なくとも２つ設けられていることが好ましい。２つの穴部１５２は、横方向に並んで設けられていてよい。これにより、靴の紐９１０から延びる２本の紐を、２つの穴部１５２に通すことができる。
【００２７】
靴の紐９１０を通すという観点から、横方向における２つの穴部１５２どうしの間の距離は、例えば１〜５ｃｍ程度であってよい。穴部１５２の形状は、例えば円形であってよい。これに限らず、穴部１５２の形状は、例えば楕円形であってもよく、長方形、正方形、六角形のような多角形であってもよい。穴部１５２の形状は、紐を通すことが可能であればよい。また、各々の穴部１５２の差渡の長さの最大値、すなわち穴部１５２の縁上の２点間の長さの最大値は、例えば１〜１０ｍｍ、好ましくは２〜８ｍｍ程度であってよい。ここで、差渡の長さは、穴部１５２が円形であれば、円の直径に相当する。また、差渡の長さは、穴部１５２が楕円形であれば、楕円の長径に相当する。また、差渡の長さは、穴部１５２が長方形や正方形であれば、長方形や正方形の対角線の長さに相当する。
【００２８】
また、装飾品取付具１００は、第１領域Ｓ１にも、靴の紐９１０を通すための穴部１５０を有していてもよい。穴部１５０は、折り返し線１８０に関して、穴部１５２と対称の位置に設けられることが好ましい。この場合、装飾品取付具１００が折り返し線１８０で折り返されたときに、穴部１５０と穴部１５２が位置合わせされる。したがって、装飾品取付具１００が折り返し線１８０で折り返された状態で、靴の紐９１０を穴部１５０と穴部１５２の両方に通すことができる（図８参照）。
【００２９】
靴の紐９１０を通すという観点から、横方向における２つの穴部１５０どうしの間の距離は、例えば１〜５ｃｍ程度であってよい。穴部１５０の形状は、例えば円形であってよい。これに限らず、穴部１５０の形状は、例えば楕円形であってもよく、長方形、正方形、六角形のような多角形であってもよい。穴部１５０の形状は、紐を通すことが可能であればよい。また、各々の穴部１５０の差渡の長さの最大値、すなわち穴部１５０の縁上の２点間の長さの最大値は、例えば１〜１０ｍｍ、好ましくは２〜８ｍｍ程度であってよい。
【００３０】
前述した穴部１５０及び／又は穴部１５２を縁取る部分は、他の部分、特に面ファスナーのループ材を構成する部分よりも高い剛性を有していてよい。好ましくは、前述した穴部１５０及び／又は穴部１５２を縁取る部分は、縫い目によって構成されていてよい。穴部１５０及び／又は穴部１５２を縁取る部分の剛性が高いと、使用者が穴部１５０及び／又は穴部１５２に紐を通しやすいというメリットがある。
【００３１】
装飾品取付具１００の、面ファスナーを構成する部材、すなわちフック材又はループ材が形成されている領域を複数の区画に分けるように、少なくとも２層のシート１６０，１６２を互いに縫合する縫い目１８２が設けられていてよい。このように縫い目１８２が設けられていることによって、いったん取り付けた装飾品８００を装飾品取付具１００から取り外し易くすることができる。
【００３２】
仮に、２層のシート１６０，１６２が互いに縫合されていない場合、装飾品取付具１００から装飾品８００を取り外す際に、ループ材を有する表面側のシート１６０が裏面側のシートから浮き上がってしまい、装飾品８００をうまく取り外しにくくなることがある。上記実施形態では、縫い目１８２によって、そのような不具合を解消することができる。
【００３３】
ループ材を有する表面側のシート１６０の浮き上がりを防止するため、少なくとも２層のシート１６０，１６２どうしを接着剤により接着してもよい。しかしながら、ホットメルトのように接着時に加熱を要する場合、面ファスナーを構成する部材が劣化する虞がある。
【００３４】
したがって、接着剤を使用することなく縫い目１８２によって少なくとも２層のシート１６０，１６２を互いに縫合することがより好ましい。これにより、接着剤によって装飾品取付具１００が意図せず硬くなりすぎることも抑制できる。なお、この場合であっても、穴部１５０，１５２の縁や装飾品取付具１００の外縁の部分には局所的に接着剤が設けられていてもよい。
【００３５】
縫い目１８２は、幅方向から傾斜した方向に延びていることが好ましい。縫い目１８２は、幅方向から、例えば３０°以上、好ましくは４５°以上傾斜した方向に延びていてよい。このように傾斜した縫い目１８２は、飾品取付具１００を折り曲げる折り返し線として実質的に機能しない。したがって、靴９００に取り付けられた状態で、飾品取付具１００が意図しない方向に曲がってしまうことを抑制できる。
【００３６】
本実施形態では、装飾品取付具１００は、ループ材を含んでいる。ループ材は、フック材よりも柔らかいため、使用者の足に当たったとしても、その違和感が小さいというメリットがある。
【００３７】
装飾品８００は、その裏面にフック材を有していてよい。装飾品８００のフック材８１０は、装飾品取付具１００のループ材に着脱可能に構成されている。図９に示すように、装飾品８００は、靴９００に取り付けられた装飾品取付具１００のループ材に取り付けられる。様々な種類の装飾品８００が用意されていてよい。この場合、様々な種類の装飾品８００を、使用者の好みで装飾品取付具１００に取り付けることができる。
【００３８】
図１０は、第１実施形態に係る装飾品取付具１００の別の取り付け方法を示している。装飾品取付具１００の構造は、前述したとおりである。図１０では、装飾品取付具１００の第２領域Ｓ２に設けられた穴部１５０にのみ、靴９００の紐が通されている。この場合であっても、装飾品取付具１００を靴９００に取り付けることができる。この場合、装飾品取付具１００の第１領域によって靴９００の紐を部分的に又は全体的に隠すことができる。これにより、装飾品取付具１００に取り付けた装飾品８００をより目立たせることができる。
【００３９】
図１０に示す取り付け方法では、第１領域Ｓ１に設けられた穴部１５０は不要である。ただし、使用者が複数の取り付け方法を選択できるようにするためには、第１領域Ｓ１に穴部１５０が設けられていることが好ましい。
【００４０】
（第２実施形態）
次に、第２実施形態に係る装飾品取付具１００について説明する。図１１は、第２実施形態に係る装飾品取付具１００の平面図である。第１実施形態と同様の構成について、同様の符号が付されていることに留意されたい。以下では、第１実施形態と同様の構成については、その説明を省略することがある。
【００４１】
第２実施形態に係る装飾品取付具１００は、第１実施形態に係る装飾品取付具の第２領域Ｓ２を取り除いた形状を有する。したがって、第２実施形態に係る装飾品取付具１００は、第１実施形態における折り返し線１８０を有していない。
【００４２】
第２実施形態に係る装飾品取付具１００は、折り返されることなく、靴９００に取り付けられる。具体的には、装飾品取付具１００の穴部１５０に靴の紐９１０を通すことによって、装飾品取付具１００が靴９００に取り付けられる。
【００４３】
（第３実施形態）
次に、第３実施形態に係る装飾品取付具１００について説明する。図１２は、第３実施形態に係る装飾品取付具の表面図である。図１３は、第３実施形態に係る装飾品取付具の裏面図である。第１実施形態と同様の構成について、同様の符号が付されていることに留意されたい。以下では、第１実施形態と同様の構成については、その説明を省略することがある。
【００４４】
第３実施形態に係る装飾品取付具１００は、第１実施形態とほぼ同様に、第１領域Ｓ１、折り返し線１８０及び第２領域Ｓ２を有する。ただし、第３実施形態における第２領域Ｓ２の形状は、第１実施形態と異なっている。
【００４５】
第３実施形態では、第２領域Ｓ２は、縦方向に長く延びている。第２領域Ｓ２の形状は、折り返し線１８０に関して第１領域Ｓ１の形状と対照になっている。
【００４６】
第３実施形態においても、図８〜図１０に示すように、装飾品取付具１００は、折り返された状態で、靴９００に取り付けることができる。
【００４７】
第３実施形態において、ループ材は、装飾品取付具１００の第１領域Ｓ１と第２領域Ｓ２の両方に設けられていてよい。この場合、装飾品取付具１００は、第１領域Ｓ１が第２領域Ｓ２を覆うような状態で靴９００に取り付けることもでき、第２領域Ｓ２が第１領域Ｓ１を覆うような状態で靴９００に取り付けることもできる。これにより、第１領域Ｓ１のループ材が経年劣化したとしても、第２領域Ｓ２のループ材に装飾品８００を取り付けることができる。
【００４８】
図１３に示すように、装飾品取付具１００は、係合部材１９０を有していてもよい。係合部材１９０は、折り返し線１８０によって折り返された装飾品取付具１００の第１領域Ｓ１と第２領域Ｓ２とを互いに係合させられる部材であればよい。
【００４９】
第３実施形態では、係合部材１９０は、面ファスナーを構成するフック材である。図１３では、係合部材１９０は、第１領域Ｓ１に設けられている。装飾品取付具１００が折り返された状態で、係合部材１９０としてのフック材が、第２領域Ｓ２の裏面に設けられたループ材に付着する。この場合、装飾品取付具１００が靴９００に取り付けられた状態で、歩行動作のような振動により第１領域Ｓ１が第２領域Ｓ２から浮き上がることを抑制することができる。
【００５０】
図１３に示す態様の代わりに、係合部材１９０は、第２領域Ｓ２に設けられていてもよい。また、装飾品取付具１００がフック材を有する場合、係合部材１９０は、面ファスナーを構成するループ材を含んでいてもよい。
【００５１】
（第４実施形態）
次に、第４実施形態に係る装飾品取付具１００について説明する。図１４は、第４実施形態に係る装飾品取付具の表面図である。図１５は、第４実施形態に係る装飾品取付具を取り付けた靴９００の側面図である。図１６は、第４実施形態に係る装飾品取付具の取り付けの一例を説明するための図である。第１実施形態と同様の構成について、同様の符号が付されていることに留意されたい。以下では、第１実施形態と同様の構成については、その説明を省略することがある。
【００５２】
第４実施形態に係る装飾品取付具１００は、第１実施形態とほぼ同様に、第１領域Ｓ１、折り返し線１８０及び第２領域Ｓ２を有する。ただし、第４実施形態における第２領域Ｓ２の形状は、第１実施形態と異なっている。
【００５３】
第４実施形態では、第２領域Ｓ２は、縦方向に長く延びている。具体的には、縦方向における第２領域Ｓ２の端部は、細長くなっており、縦方向に長く延びている。第２領域Ｓ２の、第１領域Ｓ１とは反対側の端部の幅方向における長さＬ１は、例えば０．５〜３．０ｃｍ以下であってよい（図１４参照）。
【００５４】
第４実施形態においても、装飾品取付具１００は、折り返し線１８０で折り返される。装飾品取付具１００は、折り返し線１８０によって折り返された装飾品取付具１００の第１領域Ｓ１と第２領域Ｓ２とを互いに係合させる係合部材１９０を有する。
【００５５】
第４実施形態では、係合部材１９０は、フック材である。図１４では、係合部材１９０は、第２領域Ｓ２に設けられている。また、装飾品取付具１００は、折り返し線１８０と係合部材１９０との間に第２折り返し線１８５を有していてよい。
【００５６】
第２折り返し線１８５は、例えば縫い目や、装飾品取付具１００の剛性が変化する境界線等によって構成されていてよい。剛性が変化する境界線は、例えば、係合部材１９０の縁によって形成されていてよい。
【００５７】
第４実施形態において、第２領域Ｓ２の縦方向に長く延びた部分は、図１５及び図１６に示されているように、紐９１０の、靴の先端に近い部分９１２の下に通されている。ここで、図１６では、説明の都合上、第１領域Ｓ１は図示されていない。図１６では、第２領域Ｓ２の縦方向に長く延びた部分は、紐の最もつま先側の部分の下側にのみ通されているが、第２領域Ｓ２の縦方向に長く延びた部分は、紐の最もつま先側の部分よりも後側の部分の下側にも通されてもよい。
【００５８】
第２領域Ｓ２の縦方向に長く延びた部分は、第２折り返し線１８５で上方に折り返されている。これにより、第２領域Ｓ２に設けられた係合部材１９０としてのフック材が、上方を向き、第１領域Ｓ１に対向する。したがって、係合部材１９０としてのフック材を、第１領域Ｓ１の裏面に設けられたループ材に取り付けることができる。この場合であっても、第３実施形態で説明したように、第１領域Ｓ１が第２領域Ｓ２から浮き上がることを抑制することができる。
【００５９】
また、第４実施形態において、装飾品取付具１００の第２領域Ｓ２の裏側に、第２係合部材１９５が設けられていてよい。第２係合部材１９５は、第２領域Ｓ２の、第１領域Ｓ１とは反対側の先端付近に設けられていてよい。
【００６０】
第４実施形態では、第２係合部材１９５は、フック材である。第２領域Ｓ２の縦方向に長く延びた部分は、第２折り返し線１８５で上方に折り返されている。これにより、第２係合部材１９５としてのフック材は、第２領域Ｓ２のループ材に付着する（図１５及び図１６参照）。これにより、第２係合部材１９５は、装飾品取付具１００を環状の状態で係合させる。すなわち、第２係合部材１９５によって装飾品取付具１００は、環状の状態を維持し、この環の中を紐が通っている。このように、第２係合部材１９５は、着用品又はポータブル品に着脱自在に構成された装飾品取付具１００の着脱構造を構成していてよい。この場合、装飾品取付具１００は、前述した穴部１５０及び／又は穴部１５２を有していなくてもよい。
【００６１】
上述したように、実施形態を通じて本発明の内容を開示したが、この開示の一部をなす論述及び図面は、本発明を限定するものであると理解すべきではない。この開示から当業者には様々な代替の実施形態、実施例及び運用技術が明らかとなる。したがって、本発明の技術的範囲は、上述の説明から妥当な特許請求の範囲に係る発明特定事項によってのみ定められるものである。
【００６２】
本実施形態の装飾品取付具は、前述したように、靴の紐を利用して、既存の靴に取り付けることができる。したがって、装飾品取付具は、紐を有する靴に対して好適に利用できる。しかしながら、装飾品取付具は、紐を有する着用品又はポータブル品に着脱自在に適用することもできる。また、追加の紐を用いれば、紐を有しない着用品又はポータブル品にも適用することが可能である。
【符号の説明】
【００６３】
１００  装飾品取付具
１５０  穴部
１５２  穴部
１８０  折り返し線
１８２  縫い目
１８５  第２折り返し線
１９０  係合部材
１９５  第２係合部材
８００  装飾品
９００  靴
【要約】
【課題】靴のような既存の着用品又はポータブル品に対してより柔軟に装飾品を取り付け可能な装飾品取付具を提供する。
【解決手段】装飾品取付具１００は、面ファスナーを構成する部材を含む装飾品８００を着脱自在に構成されている。装飾品取付具１００は、着用品又はポータブル品に着脱自在に構成された着脱構造１５０，１５２と、面ファスナーを構成するフック材とループ材のうちの少なくとも一方である第１部材と、を含む。
【選択図】図９【図１】
0006831156.tif 000002
【図２】
0006831156.tif 000003
【図３】
0006831156.tif 000004
【図４】
0006831156.tif 000005
【図５】
0006831156.tif 000006
【図６】
0006831156.tif 000007
【図７】
0006831156.tif 000008
【図８】
0006831156.tif 000009
【図９】
0006831156.tif 000010
【図１０】
0006831156.tif 000011
【図１１】
0006831156.tif 000012
【図１２】
0006831156.tif 000013
【図１３】
0006831156.tif 000014
【図１４】
0006831156.tif 000015
【図１５】
0006831156.tif 000016
【図１６】
0006831156.tif 000017